(57)【要約】  【課題】  フラットベッドスキャナの下部に用紙排出トレイを備える構成の画像形成装置において、用紙サイズに拘らずに、排出される記録用紙が外部から視認容易となる画像形成装置を提供することである。【解決手段】  排出トレイ用紙受け台に複数のリブを配設すると共に、前記リブの高さを装置手前側の用紙取出口側に向かって順にその高さを低くして、排出される記録用紙を前記用紙取出口側に積層する構成とした。【選択図】    図１
2005194017.tif 000002
【特許請求の範囲】
【請求項１】
載置される原稿を読み取るフラットベッドスキャナと、搬送される原稿を読み取る自動原稿給紙装置（ＡＤＦ）と、読み取った原稿画像を記録用紙に印字する記録部と、印字された前記記録用紙を排出する排出トレイとを備えると共に、前記排出トレイが前記フラットベッドスキャナの下部に配置される画像形成装置において、前記排出トレイ用紙受け台に複数のリブを配設すると共に、前記リブの高さを装置手前側の用紙取出口側に向かって順にその高さを低くする構成としたことを特徴とする画像形成装置。
【請求項２】
前記リブが前記排出トレイ全長に渡って延設されていることを特徴とする請求項１に記載の画像形成装置。
【請求項３】
前記排出トレイの用紙取出口側に用紙の落下を防止するストッパを設けたことを特徴とする請求項１または２に記載の画像形成装置。
【請求項４】
前記ストッパに用紙取出用の切欠部を設けていることを特徴とする請求項１から３のいずれかに記載の画像形成装置。
【発明の詳細な説明】
【技術分野】
【０００１】
本発明は、複写機、プリンタ、ファクシミリ装置等の画像形成装置に係り、さらに詳しくは、フラットベッドスキャナの下部に用紙排出トレイを備える構成の画像形成装置に関する。
【背景技術】
【０００２】
従来、搬送される原稿を読み取る自動原稿給紙装置（ＡＤＦ）と、載置される原稿を読み取るフラットベッドスキャナとを備える画像形成装置が知られている。これは、そのいずれかの原稿を読み取ると共に、装置下部に装着する記録用紙供給トレイから１枚ずつ記録用紙をピックアップして、単一の記録部にて印字して排出トレイに排出する構成とされている。
【０００３】
その際に、前記排出トレイは、前記フラットベッドスキャナの下部、前記記録用紙供給トレイの上部に配設される構成となって、画像形成装置全体の中間部付近に位置することになる。
【０００４】
また、前記排出トレイの用紙受け台に複数のリブを配設して、排出される記録用紙を案内する構成としている画像形成装置も知られている。
【０００５】
さらに、排出トレイに高さの異なる複数の整列リブを設けたとする画像形成装置が既に公開されている（例えば、特許文献１参照）。
【０００６】
これは、排出されるシート（記録用紙に相当）のサイズに応じた位置に複数の高さの異なる整列リブを配設して、前記シートの側部を整列させるためである。
【特許文献１】特開２００２−２５５４３０号公報（第１−１０頁、第９図）
【発明の開示】
【発明が解決しようとする課題】
【０００７】
上記の特許文献１に記載の画像形成装置では、排出トレイに高さの異なる複数の整列リブを設けた構成ではあるが、これは、排出する用紙を整列させるためのものであって、フラットベッドスキャナの下部、装置中間部に配設される排出トレイに積載される記録用紙を外部から視認容易とするものではない。
【０００８】
また、記録用紙のサイズには種々のものがあって、前記装置中間部に排出トレイを配設する場合では、使用する最大の記録用紙のサイズに応じた排出トレイの大きさにしておくことが必要であり、この際に、サイズの小さな記録用紙に印字して装置中間部の排出トレイに記録用紙を排出した場合に、排出される記録用紙が排出トレイの奥側の場合には外部から視認困難となる。
【０００９】
さらに、装置の全体サイズをコンパクトにした場合には、フラットベッドスキャナ部を操作し易い高さ位置（操作する人の腰の高さ）とすると、前記フラットベッドスキャナの下部に位置する排出トレイはそれよりも低い位置となって、腰を屈めて覗き込む姿勢でないと、排出されている記録用紙を外部から確認することは困難となる。
【００１０】
本発明の目的は、フラットベッドスキャナの下部に用紙排出トレイを備える構成の画像形成装置において、用紙サイズに拘らずに、排出される記録用紙が外部から視認容易となる画像形成装置を提供することである。
【課題を解決するための手段】
【００１１】
上記の目的を達成するために請求項１に係る発明は、載置される原稿を読み取るフラットベッドスキャナと、搬送される原稿を読み取る自動原稿給紙装置（ＡＤＦ）と、読み取った原稿画像を記録用紙に印字する記録部と、印字された前記記録用紙を排出する排出トレイとを備えると共に、前記排出トレイが前記フラットベッドスキャナの下部に配置される画像形成装置において、前記排出トレイ用紙受け台に複数のリブを配設すると共に、前記リブの高さを装置手前側の用紙取出口側に向かって順にその高さを低くする構成としたことを特徴としている。
【００１２】
上記の構成を有する請求項１に係る発明によれば、排出トレイに排出される記録用紙が用紙取出口側に移動して積載する構成となり、腰を屈めて覗き込むことなく装置外部から視認容易となる。
【００１３】
請求項２に係る発明は、前記リブが前記排出トレイ全長に渡って延設されていることを特徴としている。
【００１４】
上記の構成を有する請求項２に係る発明によれば、種々のサイズの記録用紙であっても、排出して積載する位置を揃えることが可能な排出トレイとすることができる。
【００１５】
請求項３に係る発明は、前記排出トレイの用紙取出口側に用紙の落下を防止するストッパを設けたことを特徴としている。
【００１６】
上記の構成を有する請求項３に係る発明によれば、装置手前側に移動する記録用紙が排出トレイから落下することがない。
【００１７】
請求項４に係る発明は、前記ストッパに用紙取出用の切欠部を設けていることを特徴としている。
【００１８】
上記の構成を有する請求項４に係る発明によれば、記録用紙の落下を防止するストッパを設けていても、積載した記録用紙を容易に取出すことができる。
【発明の効果】
【００１９】
本発明によれば、フラットベッドスキャナの下部に用紙排出トレイを備える構成の画像形成装置において、用紙サイズに拘らずに、排出される記録用紙が外部から視認容易となる画像形成装置を得ることできる。
【発明を実施するための最良の形態】
【００２０】
フラットベッドスキャナの下部に用紙排出トレイを備える構成の画像形成装置において、用紙サイズに拘らずに、排出される記録用紙が外部から視認容易となる画像形成装置を得るという目的を、前記排出トレイ用紙受け台に複数のリブを配設すると共に、前記リブの高さを装置手前側の用紙取出側に向かって順にその高さを低くする構成とした画像形成装置とすることで実現した。
【実施例】
【００２１】
以下、本発明に係る画像形成装置の実施例について、図１から図３に基づいて説明する。
【００２２】
図１は本発明に係る高さの異なるリブを備える用紙排出トレイを示し（ａ）は斜視図であって、（ｂ）は正面図を示している。図２は排出トレイの用紙取出口を示す斜視図である。図３は本発明に係る画像形成装置の全体構成例を示す全体断面図である。
【００２３】
図３に示す画像形成装置１は、例えばファックス機能とコピー機能を有する装置であって、画像の読取と記録の両方を行うことができるものである。前記画像形成装置１は本体上部に設けられたＡＤＦ（自動原稿給紙装置）１２と、フラットベッドスキャナ１０と、読取部２とを備えており、原稿排出トレイ部をその上部に備える押圧板１３の下部に位置するプラテンガラス１４に載置される原稿と、前記ＡＤＦ１２から送られてくる原稿との両方を読取可能な構成である。
【００２４】
読取部２には読取用のＣＣＤヘッド１５を備える読取ユニット１６が配設されていて、図中の水平方向に移動自在な構成とされていて、ＡＤＦ１２直下に位置する読取位置にて原稿台１１からＡＤＦ１２を通過して搬送されてくる原稿を読み取ることも、プラテンガラス１４上に載置された原稿を、水平方向に移動して読み取ることもできる構成としている。押圧板１３はプラテンガラス１４上に載置される原稿を押えるカバー蓋である。
【００２５】
また、前記読取部２の下部には、用紙収納部３と記録部４が配設されていて、用紙トレイ１７に収納された用紙束１８から記録用紙Ｐを１枚ずつ取り出して、記録部４に搬送して、読み取られた画像を記録用紙Ｐに記録する構成である。
【００２６】
前記記録用紙Ｐはピックアップローラ１９により１枚ずつピックアップされ搬送ローラ２０から感光ドラム２５と転写ローラ２６のニップ部にて、画像を記録し、ヒートローラ２８と加圧ローラ２９により定着する構成である。前記画像は、レーザースキャニングユニット２７が生成する、入力された画像データに対応したレーザ光を、帯電された感光ドラム２５の表面に照射して形成した静電潜像であって、プラテンガラス１４に載置される原稿と、前記ＡＤＦ１２から送られてくる原稿とのいずれかの原稿の読取画像を記録するものである。
【００２７】
２１は従動ゴムローラであり、駆動ローラである搬送ローラ２０に圧接されて一対の送りローラを形成している。
【００２８】
またこの時に、２３は帯電ブラシであり、２４はメモリ除去ブラシであって、２２はこれらを一体的に取替自在に構成したドラムユニットである。
【００２９】
記録部４にて片面に印字された記録用紙Ｐは、通常の片面印字の場合にはそのまま排出ローラ３０から排出トレイ３２に排出される。しかし、両面印字の場合には、用紙検知センサＳ１が記録用紙Ｐの後端を検知すると、前記排出ローラ３０を一旦停止した後で逆方向に回転させて、記録用紙Ｐをスイッチバックする。
【００３０】
前記排出ローラ３０は駆動ローラ３０Ａとゴム製の従動ローラ３０Ｂとから構成される送りローラであって、前記駆動ローラ３０Ａを正逆駆動自在な構成とすることで、排出ローラ３０にスイッチバック機能を与える構成である。
【００３１】
スイッチバックされた記録用紙Ｐは、反転搬送路４１を備える両面印字ユニット４０内を矢印４２方向に搬送される。前記反転搬送路４１は搬送ローラ４３と搬送ローラ４４を備えており、該反転搬送路４１を経由して再度搬送ローラ２０から感光ドラム２５と転写ローラ２６のニップ部に片面が印字された記録用紙Ｐを搬送する。この時に記録用紙Ｐの姿勢は１回目に印字された第一面とは反対側の第二面が感光ドラム２５に対面しており、両面に印字することが可能となる。
【００３２】
前記搬送ローラ４３は駆動ローラ４３Ａとゴム製の従動ローラ４３Ｂとから構成されており、搬送ローラ４４は駆動ローラ４４Ａとゴム製の従動ローラ４４Ｂとから構成されていて、駆動ローラを回転駆動することで用紙をニップしながら搬送することができる一対の送りローラを形成している。
【００３３】
両面印字された記録用紙Ｐは排出ローラ３０からスイッチバックされずにそのまま排出トレイ３２に排出される。つまり、両面印字の際には、前記排出ローラ３０は、記録用紙Ｐの第一面印字後はスイッチバックし、第二面印字後にはスイッチバックしないように構成されている。
【００３４】
次に図１により、排出トレイ３２について説明する。図１は本発明に係る高さの異なるリブを備える用紙排出トレイを示しており、（ａ）は斜視図であって、（ｂ）は正面図を示している。
【００３５】
図１（ａ）（ｂ）に示すように、排出ローラ３０（図３参照）により送り出される記録用紙Ｐは排出口３１を経由して排出トレイ３２に排出されて積層される。この時に、前記排出トレイ３２の用紙受け台３２Ａに複数のリブ（３３Ａ、３３Ｂ、３３Ｃ）を配設すると共に、前記リブの高さを装置手前側の用紙取出側に向かって順にその高さを低くする構成とした。
【００３６】
つまり、用紙取出口３４から最も奥に位置するリブ３３Ａの高さＨＡが最も高く、二番目のリブ３３Ｂの高さＨＢが二番目に高く、用紙取出口３４側に位置するリブ３３Ｃの高さＨＣが一番低い構成とされている。
【００３７】
そのために、排出口３１から排出される記録用紙Ｐは、該記録用紙Ｐの用紙サイズに拘らず、図中に示す矢印ＰＡ方向に移動して前記用紙取出口３４側に積層することになり、排出される記録用紙Ｐが前記排出トレイ３２に在ることを腰を屈めて覗き込むことなく容易に確認することができる。つまり楽な姿勢のままで外部から視認容易となる。
【００３８】
また、それらのリブを前記排出トレイ全長に渡って延設する構成としている。そうすれば、種々のサイズの記録用紙であっても、排出して積載する位置を揃えることが可能な排出トレイ３２とすることができる。
【００３９】
前記記録用紙Ｐの用紙サイズとしては、一般にＢ５サイズからＡ３サイズまで広範囲であって、前記排出トレイ３２の大きさは最大サイズのＡ３サイズの用紙が収納可能な大きさとなっている。そのために、Ｂ５サイズのような小さな記録用紙を前記Ａ３サイズの大きさをした排出トレイ３２に排出した際に、その積層される位置が、該排出トレイの最奥部の場合に、フラットベッドスキャナの下部に用紙排出トレイを備える構成の画像形成装置においては、装置外部から用紙が在ることを視認困難なことがある。
【００４０】
そのために、前記排出トレイ３２の用紙受け台３２Ａに複数のリブを、前記リブの高さを装置手前側の用紙取出口側に向かって順にその高さを低くする構成とすると共に、それらのリブを前記排出トレイ３２の全長に渡って延設する構成とすることで、フラットベッドスキャナの下部に用紙排出トレイを備える構成の画像形成装置において、用紙サイズに拘らずに、排出される記録用紙が外部から視認容易となる画像形成装置を得ることができる。
【００４１】
また、図２に示すように、前記排出トレイ３２の用紙取出口３４側に記録用紙Ｐの落下を防止するストッパ３５を設ける構成とした。こうすれば、装置手前側に移動する記録用紙Ｐが排出トレイ３２から飛び出して、装置外へ落下することがない。
【００４２】
さらに、前記ストッパ３５に用紙取出用の切欠部３６を設ければ、記録用紙Ｐの落下を防止するストッパ３５を設けていても、積載した記録用紙Ｐを前記排出トレイ３２から容易に取出すことができる。
【００４３】
前記ストッパ３５は図示した板金製のストッパ以外の、他のストッパ部材、例えば、所定高さの棒材を複数本突設する構成としてもよく、ただ、記録用紙Ｐの移動を停止する効果のある部材であれば、金属製でも樹脂製でもゴム製でもよく、特にその形状や材質を限定するものではない。また、用紙取出口自体に窪み等の段差を設けてストッパの役目を持たせる構成としてもよい。
【００４４】
上記したように、本発明に係る高さの異なる複数のリブを排出トレイ３２の用紙受け台３２Ａの全長に渡って配設する構成とすることで、フラットベッドスキャナ１０の下部に位置する排出トレイ３２の用紙取出口３４であっても、また、記録用紙Ｐのサイズが小さな場合であっても、装置外部から記録用紙の存在を容易に視認可能となる。
【図面の簡単な説明】
【００４５】
【図１】本発明に係る高さの異なるリブを備える用紙排出トレイを示し（ａ）は斜視図であって、（ｂ）は正面図を示している。
【図２】排出トレイの用紙取出口を示す斜視図である。
【図３】本発明に係る画像形成装置の全体構成例を示す全体断面図である。
【符号の説明】
【００４６】
１  画像形成装置
２  読取部
４  記録部
３０  排出ローラ（スイッチバックローラ）
３１  排出口
３２  排出トレイ
３２Ａ  用紙受け台
３３Ａ、３３Ｂ、３３Ｃ  リブ
３４  用紙取出口
ＨＡ、ＨＢ、ＨＣ  （リブの）高さ
Ｐ  記録用紙
【図１】
2005194017.tif 000003
【図２】
2005194017.tif 000004
【図３】
2005194017.tif 000005